(57)【要約】      （修正有）【課題】パターン予約録画のタイトルに対してＣＭ境界へのチャプタ自動作成機能を有する放送番組記録装置を得る。【解決手段】毎日の概同時刻又は１週間のうちの所定の曜日の概同時刻に放送される番組である帯番組を一度の予約録画設定で繰り返し予約録画を実行するパターン予約録画に対して録画済みの前記帯番組の参考タイトルのチャプタ情報よりチャプタ作成情報を作成する録画管理部１９と、受信した放送番組を録画データストリームに変換して録画データストリーム蓄積部１１１に保存する変換部１１０と、変換部による録画データ中に前記録画データストリームに含まれているＣＭの検出を行いＣＭ検出結果を出力するＣＭ検出部１１４とを備え、変換部は、録画管理部からのチャプタ作成情報とＣＭ検出部からのＣＭ検出結果とに基づいてパターン予約録画実行時に蓄積部に保存される録画データストリームの所定位置へ挿入すべきチャプタの作成を行う。【選択図】  図１
2007074040.tif 000002
【特許請求の範囲】
【請求項１】
ランダムアクセス可能な記録媒体を有する蓄積部に放送番組を予約して記録する放送番組記録装置であって、
少なくとも毎日における概同時刻又は１週間のうちの所定の曜日における概同時刻に放送される番組である帯番組を一度の予約録画設定で繰り返し予約録画を実行するパターン予約録画に対して録画済みの前記帯番組のタイトルである参考タイトルのチャプタ情報よりチャプタ作成情報を作成する録画管理手段と、
受信した放送番組を録画データストリームに変換して前記蓄積部へ出力する変換手段と、
前記変換手段による録画中に前記録画データストリームに含まれているＣＭの検出を行いＣＭ検出結果を出力するＣＭ検出手段とを備え、
前記変換手段は、前記録画管理手段からの前記チャプタ作成情報と前記ＣＭ検出手段からの前記ＣＭ検出結果とに基づいて前記パターン予約録画実行時に前記蓄積部に保存される前記録画データストリームの所定位置へ挿入すべきチャプタの作成を行うよう構成されている放送番組記録装置。
【請求項２】
請求項１に記載の放送番組記録装置において、前記変換手段は、パターン予約録画実行後、前記チャプタ作成情報に対応する前記参考タイトルを、前記パターン予約録画により作成された録画タイトルへ変更することを特徴とする放送番組記録装置。
【請求項３】
請求項１に記載の放送番組記録装置において、前記録画管理手段は、前記参考タイトルの前記チャプタ情報の更新に同期して前記チャプタ作成情報を更新することを特徴とする放送番組記録装置。
【発明の詳細な説明】
【技術分野】
【０００１】
本発明は、ハードディスクレコーダなどのランダムアクセス可能な記録媒体に放送番組を予約して記録する放送番組記録装置に関する。
【背景技術】
【０００２】
近年、ＶＴＲに代わり、ハードディスクレコーダに代表されるランダムアクセス可能な記録媒体を用いた放送番組記録装置が普及している。ランダムアクセス可能な記録媒体を用いた放送番組記録装置は、指定位置からの高速頭出し再生（チャプタサーチ）、ノンリニア編集など、ＶＴＲには無い機能を有する。
【０００３】
上記のランダムアクセス可能な記録媒体を用いた放送番組記録装置の機能を有効に活用するためには、録画コンテンツに対する区切りを作成することが必要となる。そこで、録画コンテンツの再生時にコマーシャルメッセージ（以下、ＣＭと称す）をスキップし本編のみを鑑賞するユーザが多いことを考慮して、ＣＭと本編の境界にチャプタを自動作成する機能が注目を浴びている。ＣＭと本編の境界にチャプタが存在していれば、チャプタサーチを利用したＣＭスキップ、チャプタを編集点としたＣＭカット編集が容易となる。
【０００４】
そこで、ＣＭを含めた番組全体の録画を行い、後追いで音声多重モードの違いなどを利用してＣＭ検出を行い、後追いのＣＭ検出結果を用いて録画ストリームにＣＭ部へのチャプタ作成やＣＭカット編集を行うようにすることで、失敗の無いＣＭ境界チャプタ作成機能を提供する放送番組記録装置が提案されている（例えば、下記の特許文献１参照）。
【特許文献１】特開２００１−２３８１７６号公報
【発明の開示】
【発明が解決しようとする課題】
【０００５】
しかしながら、上述した放送番組記録装置では、録画そのものの失敗は無いものの、実装するＣＭ検出機能により効果が大きく左右される。
例えば、ＣＭ部の検出方法として広く使われている音声モードの違いを用いた検出方法の場合、ステレオ音声の場合をＣＭと考えるため、本編がステレオ音声の場合は判別がつけられない。その結果、番組全体の録画はされるもののＣＭへのチャプタ作成機能は全く動作しない。
【０００６】
また、ＣＭ前後の無音部分を検出する検出方法を用いた場合は、本編内における不意の無音部分による誤判定や無音部分の無いＣＭの見落としが考えられる。
【０００７】
上記２つの手法を組み合わせるなどして、ＣＭ部の検出精度を上げることは可能であるが、誤判定を無くすことは難しく、また、検出精度を上げるための複雑な判定はコストの増大につながる。
【０００８】
本発明は、このような状況を考慮してなされたもので、連続ドラマなど、「週予約」や「毎日予約」といったパターン予約録画のタイトルに対して、ユーザのＣＭ部分へのチャプタ作成作業を簡略化することができる放送番組記録装置を提供することを目的とする。
【課題を解決するための手段】
【０００９】
上記目的を達成するために、本発明に係る放送番組記録装置は、ランダムアクセス可能な記録媒体を有する蓄積部に放送番組を予約して記録する放送番組記録装置であって、少なくとも毎日における概同時刻又は１週間のうちの所定の曜日における概同時刻に放送される番組である帯番組を一度の予約録画設定で繰り返し予約録画を実行するパターン予約録画に対して録画済みの前記帯番組のタイトルである参考タイトルのチャプタ情報よりチャプタ作成情報を作成する録画管理手段と、受信した放送番組を録画データストリームに変換して前記蓄積部へ出力する変換手段と、前記変換手段による録画中に前記録画データストリームに含まれているＣＭの検出を行いＣＭ検出結果を出力するＣＭ検出手段とを備え、前記変換手段は、前記録画管理手段からの前記チャプタ作成情報と前記ＣＭ検出手段からの前記ＣＭ検出結果とに基づいて前記パターン予約録画実行時に前記蓄積部に保存される前記録画データストリームの所定位置へ挿入すべきチャプタの作成を行うよう構成されている。
【００１０】
この構成により、パターン予約録画のタイトルに対して、ユーザのＣＭ部分へのチャプタ作成作業を簡略化でき、ＣＭと本編の境界へのチャプタ自動作成機能を提供することが可能となる。
【００１１】
また、前記変換手段は、パターン予約録画実行後、前記チャプタ作成情報に対応する前記参考タイトルを、前記パターン予約録画により作成された録画タイトルへ変更することを特徴とする。
【００１２】
この構成により、参考タイトルはパターン予約録画により作成された最新のタイトルとなる。
【００１３】
さらに、前記録画管理手段は、前記参考タイトルの前記チャプタ情報の更新に同期して前記チャプタ作成情報を更新することを特徴とする。
【００１４】
この構成により、パターン予約録画で作成されたタイトルへのチャプタ編集は、次回のパターン予約録画へ反映され、パターン予約によって作成されたタイトルに対する繰り返しのチャプタ編集作業を不要にする。
【発明の効果】
【００１５】
本発明によれば、パターン予約録画に対して参考タイトルのチャプタ情報よりチャプタ作成情報を作成するとともに、録画データ中のＣＭの検出を行い、パターン予約録画実行時にチャプタ作成情報及び録画データのＣＭ検出結果を用いてチャプタを作成することで、パターン予約録画のタイトルに対してＣＭと本編の境界へのチャプタ自動作成機能を提供する。
【発明を実施するための最良の形態】
【００１６】
以下、本発明の実施の形態１に係る放送番組記録装置について図面を参照しながら説明する。
図１は、本発明の実施の形態１に係る放送番組記録装置の構成を示すブロック図である。図１に示す構成において、ユーザ命令入力部１３は、ユーザの指示をリモコンなどの入力装置を介して受け取る。システム管理部１４は、ユーザ命令入力部１３からの入力命令を解析し、その命令内容に応じて、録画管理部１９への録画指示、再生管理部１２への再生指示、録画予約管理部１５への録画予約指示など各種指示を出力する。
【００１７】
録画管理部１９は、システム管理部１４及び録画予約管理部１５からの指示により変換部１１０へ録画指示を出す。また、録画管理部１９は、録画管理情報を作成し、作成した録画管理情報を録画予約管理部１５を介して録画管理情報蓄積部１７へ保存する。
【００１８】
変換部１１０は、録画管理部１９からの指示に従い、アンテナを介してチューナ１８により受信した放送番組を録画データストリーム（例えば、ＭＰＥＧ２−ＴＳ）に変換し、ランダムアクセス可能な記録媒体を有する録画データストリーム蓄積部１１１へ保存して録画する。
【００１９】
ＣＭ検出部１１４は、変換部１１０による録画中に録画データストリームに含まれているＣＭの検出を行う。ＣＭ検出部１１４で使用するＣＭ検出手法は特定の手法に縛られるものではない。ＣＭ検出部１１４によるＣＭ検出結果はＣＭ境界チャプタ作成部１１３へ出力される。
【００２０】
ＣＭ境界チャプタ作成部１１３では、ＣＭ検出部１１４からのＣＭ検出結果及び録画管理部１９からの自動チャプタ作成情報を基にＣＭ境界チャプタ情報を作成し、変換部１１０は、このチャプタ情報に基づいて録画データストリーム蓄積部１１１に保存される対象録画データストリームの所定位置に挿入すべきチャプタの作成を行う。
【００２１】
録画予約管理部１５は、システム管理部１４からの指示に従い、録画予約情報を作成し、録画予約情報蓄積部１６へ保存する。また、録画予約情報蓄積部１６に蓄えられた録画予約情報に従い、録画管理部１９へ指示を出すことで録画予約を実行する。チャプタ情報収集部１１２は録画予約管理部１５からの指示に従って録画データストリーム蓄積部１１１に蓄えられているストリームのチャプタ位置を検出する。
【００２２】
再生管理部１２は、システム管理部１４からの指示に従い、再生部１１へ再生指示を出力する。再生部１１は、再生管理部１２の指示に従い、録画データストリーム蓄積部１１１から録画データストリームを取得し、表示モニタへ再生画像を出力する。
【００２３】
図２は、本装置で録画予約を設定する場合の、録画予約管理部１５での手順を示したフローチャートである。
まず、ステップ２１にて、システム管理部１４からのＣＭ境界チャプタ作成指示の有無により分岐を行う。ＣＭ境界チャプタ作成指示が無い場合は、ＣＭ検出を行わない通常の予約録画処理となる。ステップ２１にてＣＭ境界チャプタ作成指示有りの場合は、ステップ２２にて、システム管理部１４からのパターン予約かどうかにより分岐を行う。ここで、パターン予約とは、毎日における概同時刻又は１週間のうちの所定の曜日における概同時刻に放送される番組である帯番組を一度の予約録画設定で繰り返し予約録画を実行するもので、例えば連続ドラマなどの「週予約」や「毎日予約」といった予約を言う。
【００２４】
ステップ２２にてパターン予約でない場合は、前述した従来の放送番組記録装置に代表される一般的なＣＭ検出手法を用いたＣＭ境界チャプタ作成を用いた予約録画処理となる。他方、ステップ２２にてパターン予約と判断された場合は、ステップ２３により自動チャプタ作成プロファイルが作成され、自動チャプタ作成プロファイルへのリンク情報が録画予約情報に付加される。
【００２５】
ステップ２４により、ここまでの処理で作成された録画予約情報を録画予約情報蓄積部１６へ保存する。図３に、録画予約情報蓄積部１６へ保存される録画予約情報の一例を示す。図３に示すように、録画予約情報としては、対応する予約ＩＤ、チャンネル、録画日、録画開始時刻、録画終了時刻、ＣＭ境界自動チャプタ作成の有無（パターン予約の場合）、自動チャプタ作成プロファイルへのリンク情報（パターン予約の場合）が保存される。
【００２６】
録画予約管理部１５は、この録画予約情報を基に、次に実行されるべき予約録画情報の録画開始時刻に、録画管理部１９へ録画指示を出すことで録画予約を実行する。
【００２７】
図４は、録画予約管理部１５による自動チャプタ作成プロファイル作成のステップ２３の内容を詳細に示したフローチャートである。
まず、ステップ４１にて、システム管理部１４からのユーザ指定の参考タイトルの有無により分岐を行う。ここで、参考タイトルとは、録画済みの帯番組のタイトルである。ステップ４１にてユーザ指定の参考タイトルがある場合、ステップ４２にて参考タイトルのチャプタ位置を検出する。
【００２８】
次に、ステップ４３にて、上記のステップ４２の検出結果を用いて自動チャプタ作成プロファイルを作成する。例えば、図５に示すようなチャプタ配置の場合、ＣＭと本編は交互に発生し、本編の多くはＣＭより長いため、一番長いチャプタ間隔部を本編とみなし、図６に示すように、ＣＭ（斜線部）と本編を一意に設定することができる。また、ユーザの手介入により自動チャプタ作成プロファイルを作成してもよい。
【００２９】
ステップ４１にてユーザ指定の参考タイトルが無い場合は、ステップ４４にて自動チャプタ作成プロファイルを作成する。
最後に、ステップ４５により、録画管理情報蓄積部１７へ自動チャプタ作成プロファイルが出力される。
【００３０】
図７及び図８に上述したような手順により作成された自動チャプタ作成プロファイルの一例を示す。図７は、参考タイトルが存在する場合であり、図８は、参考タイトルが存在しない場合である。自動チャプタ作成プロファイルには、対応する予約ＩＤ、参考タイトルが持つ参考ストリームＩＤ、ＣＭブロック数、ＣＭの数分のチャプタ位置（ＣＭの開始位置及び終了位置）が記録されている。ただし、参考タイトルが存在しない図８の場合は、参考ストリームＩＤ欄に参考ストリームが存在しないこと（ＮＵＬＬ）が示される。また、参考タイトルが存在しないため、チャプタ位置情報は記録されない。
【００３１】
図９は、本装置、主にＣＭ境界チャプタ作成部１１３及びＣＭ検出部１１４を含めた変換部１１０によりパターン予約録画が実行される場合の処理の流れを示したフローチャートである。
【００３２】
まず、ステップ９１により、録画管理部１９からのＣＭ境界チャプタ作成指示の有無により分岐を行う。ステップ９１において、ＣＭ境界チャプタ作成指示無しと判断された場合、ステップ９８にてＣＭ検出を行わない通常の録画予約実行処理となる。ステップ９１において、ＣＭ境界チャプタ作成指示有りと判断された場合、ステップ９２にて録画開始時刻から指定された放送の録画を開始する。
【００３３】
次に、ステップ９３により、録画映像に対してＣＭの検出を行う。ＣＭ検出部１１４によるステップ９３で使用するＣＭ検出手法は特定の手法に限定されるものではない。ステップ９４により、録画時間終了時刻で録画を終了する。そして、ステップ９５により、ステップ９３により作成されたＣＭ境界検出情報及び録画予約情報にリンクされた自動チャプタ作成プロファイルに記されたチャプタ位置を用いて、録画データストリームへチャプタを作成する。さらに、ステップ９６により、作成された録画データストリームを録画データストリーム蓄積部１１１に蓄積する。
【００３４】
図１０は、図９に示すＣＭ境界チャプタ作成ステップ９５の内容を詳細に示したフローチャートである。パターン予約録画の場合、録画対象のＣＭと本編の構成は予約単位でほぼ一定である。例えば、連続ドラマを毎週録画する場合において、第１週目の構成が図１１に示すストリームの状態であった場合、翌週以降の構成は、図１２のようにＣＭ位置に若干のずれがあったとしても、ＣＭブロック数や各ＣＭブロック長は一定である。ステップ９５では、この性質を用いてＣＭ境界チャプタ作成を行う。本処理は自動チャプタ作成プロファイルに記録されているＣＭブロックすべてに対して行われる。
【００３５】
まず、ステップ１０１により、探索範囲内で対象ＣＭブロック開始位置に最も近いＣＭ境界検出位置を探す。次に、ステップ１０２により、ステップ１０１による該当のＣＭ境界検出位置の有無により分岐を行う。ステップ１０２にて該当のＣＭ境界検出位置が有りと判断された場合、該当のＣＭ境界検出位置を開始予想位置に設定する。
【００３６】
図１３は、ステップ１０１で処理中の録画ストリーム拡大図の一例である。自動チャプタ作成プロファイルに記録されている処理対象ＣＭブロックの開始位置は１３１である。網掛け部１３２が探索範囲である。探索範囲は固有の値である必要はない。各破線がＣＭ境界検出位置である。今回、ＣＭ境界検出位置１３３がＣＭブロック開始位置１３１の直近であり、開始予想位置となる。
【００３７】
ステップ１０２にて該当のＣＭ境界検出位置が無しと判断された場合、ステップ１０１０にて処理対象ＣＭブロックの開始位置及び終了位置にチャプタを作成する。なお、ステップ１０１０により、ＣＭ境界検出が検出漏れを起こした場合でも最低限のチャプタ作成を保障することが望ましい。
【００３８】
ステップ１０２にて該当のＣＭ境界検出位置有りと判断された場合、ステップ１０３により、開始予想位置を対象ＣＭ境界検出位置とし、ステップ１０４により、開始予想位置にＣＭブロック長を加えた位置を終了予想位置とし、ステップ１０５により、探索範囲内で終了予想位置に最も近いＣＭ境界検出位置を探す。
【００３９】
図１４に示す録画ストリーム拡大図において、終了予想位置は１４１であり、網掛け部１４２が終了予想位置近辺の探索範囲となる。探索範囲は固有の値を使用する必要はない。しかしながら、ステップ１０１における探索範囲と比較して狭くなる。これは、ＣＭブロック長が一定であるとの前提による。
【００４０】
次に、ステップ１０６により、ステップ１０５による該当のＣＭ境界検出位置の有無により分岐を行う。ステップ１０６にて該当のＣＭ境界検出位置が無しと判断された場合、ステップ１０９により開始予想位置を破棄し、ステップ１０１へ戻る。このとき、開始予想位置となったＣＭ境界検出位置をステップ１０１の処理対象から外す。ステップ１０６にて該当のＣＭ境界検出位置が有りと判断された場合、ステップ１０７により該当のＣＭ境界検出位置を終了位置とする。
図１４では、ＣＭ境界検出位置１４３が終了予想位置１４１の直近であり、終了位置となる。
【００４１】
次に、ステップ１０８により、開始予想位置及び終了位置へＣＭ境界となるチャプタを作成する。
以上の処理により、パターン予約実行時に自動的にＣＭへチャプタが作成される。
【００４２】
次に、図９に戻って、ステップ９７により、パターン予約録画の実行中の録画予約情報にリンクされた自動チャプタ作成プロファイルの参考ストリームＩＤ欄を、上記のステップ９６により録画データストリーム蓄積部１１１へ出力された録画データストリームのＩＤに変更する。すなわち、パターン予約録画実行後、チャプタ作成情報に対応する参考タイトルをパターン予約録画により作成された録画タイトルへ変更する。この作業により、自動チャプタ作成プロファイルが参考とするタイトルはパターン予約録画により作成された最新のタイトルとなる。
【００４３】
図１５は、主に録画管理部１９により、録画データストリーム蓄積部１１１へ蓄積される録画データストリームに対し、チャプタ作成、削除、変更（以下、チャプタ編集）を行った場合における自動チャプタ作成プロファイルへの反映手順を示したフローチャートである。
【００４４】
まず、ステップ１５１により、チャプタ編集を行った録画データストリームＩＤと自動チャプタ作成プロファイルの参考データストリームＩＤが一致するかどうかを判断する。
ステップ１５１にて録画データストリームＩＤと参考データストリームＩＤが一致した場合、ステップ１５２により、自動チャプタ作成プロファイルの更新を行う。具体的には、チャプタ編集を行った録画データストリームのチャプタ数、チャプタ位置を自動チャプタ作成プロファイルへ上書き記録する。
【００４５】
ステップ１５１にて録画データストリームＩＤと参考データストリームＩＤが不一致の場合、処理を行わない。そして、ステップ１５１以下の処理を自動チャプタ作成プロファイル全部に対して行うことで、自動チャプタ作成プロファイルの更新を行う。
【００４６】
すなわち、図１５の手順によれば、参考タイトルのチャプタ情報の更新に同期してチャプタ作成情報を更新することで、パターン予約録画で作成されたタイトルへのチャプタ編集は、次回のパターン予約録画へ反映される。よって、ユーザはパターン予約によって作成されたタイトルに対する繰り返しのチャプタ編集作業から解放されることができる。
【００４７】
上述したように本発明の放送番組記録装置は、パターン予約録画に対して参考タイトルのチャプタ情報よりチャプタ作成情報を作成し、パターン予約録画実行時に前記チャプタ作成情報及び録画データのＣＭ検出結果を用いてチャプタを作成することで、パターン予約録画のタイトルに対してＣＭと本編の境界へのチャプタを自動作成することができる。このため、特に、連続ドラマなど「週予約」や「毎日予約」というパターン予約録画のタイトルに対して、ユーザのＣＭ部分へのチャプタ作成作業を簡略化するのに好適である。
【図面の簡単な説明】
【００４８】
【図１】本発明の実施の形態１に係る放送番組記録装置の構成を示すブロック図である。
【図２】図１の録画予約管理部における録画予約設定手順を示すフローチャートである。
【図３】図１の録画予約情報蓄積部へ保存される録画予約情報の一例を示す図である。
【図４】図２における自動チャプタ作成プロファイル作成処理の内容を示したフローチャートである。
【図５】本発明の実施の形態１において自動チャプタ作成プロファイル作成時にＣＭブロックを判定する前のストリーム状態の一例を示す図である。
【図６】本発明の実施の形態１において自動チャプタ作成プロファイル作成時にＣＭブロックを判定した後のストリーム状態の一例を示す図である。
【図７】図１の録画管理情報蓄積部へ保存される参考タイトルが存在する場合の自動チャプタ作成プロファイルの一例を示す図である。
【図８】図１の録画管理情報蓄積部へ保存される参考タイトルが存在しない場合の自動チャプタ作成プロファイルの一例を示す図である。
【図９】図１のＣＭ境界チャプタ作成部及びＣＭ検出部を含めた変換部によりパターン予約録画が実行される場合の処理の流れを示したフローチャートである。
【図１０】図９のＣＭ境界チャプタ作成処理の内容を詳細に示したフローチャートである。
【図１１】本発明の実施の形態１においてパターン予約時に作成される録画ストリームのＣＭブロック構成の一例を示す図である。
【図１２】本発明の実施の形態１においてパターン予約時に作成される録画ストリームのＣＭブロック構成の他の一例を示す図である。
【図１３】本発明の実施の形態１においてＣＭブロック開始位置に近いＣＭ境界検出位置の検出処理の処理過程における録画ストリーム拡大図の一例である。
【図１４】本発明の実施の形態１においてＣＭブロック終了予想位置に近いＣＭ境界検出位置の検出処理の処理過程における録画ストリーム拡大図の一例である。
【図１５】本発明の実施の形態１において録画データストリームに対しチャプタ編集を行った場合における自動チャプタ作成プロファイルへの反映手順を示したフローチャートである。
【符号の説明】
【００４９】
１１  再生部
１２  再生管理部
１３  ユーザ命令入力部
１４  システム管理部
１５  録画予約管理部
１６  録画予約情報蓄積部
１７  録画管理情報蓄積部
１８  チューナ
１９  録画管理部
１１０  変換部
１１１  録画データストリーム蓄積部
１１２  チャプタ情報収集部
１１３  ＣＭ境界チャプタ作成部
１１４  ＣＭ検出部
【図１】
2007074040.tif 000003
【図２】
2007074040.tif 000004
【図３】
2007074040.tif 000005
【図４】
2007074040.tif 000006
【図５】
2007074040.tif 000007
【図６】
2007074040.tif 000008
【図７】
2007074040.tif 000009
【図８】
2007074040.tif 000010
【図９】
2007074040.tif 000011
【図１０】
2007074040.tif 000012
【図１１】
2007074040.tif 000013
【図１２】
2007074040.tif 000014
【図１３】
2007074040.tif 000015
【図１４】
2007074040.tif 000016
【図１５】
2007074040.tif 000017